(57)【要約】【課題】本発明は構造が簡単であり、コンパクトで、コストがかからず、デザイン性に優れた留め具、また、機能を後から追加できる留め具を提供することを目的とする。【解決手段】爪設置パーツの上端の縁沿いに接着部を設け、接着部の下の中央に、半円弧状等に膨らむ形のスリットを設けて爪部が形成されており、弧の外側のラインに沿うスリットの接着部側を拡大してシルエットの切り抜きを設けて爪側イラストやマークを爪部に入れてある。掛け口パーツは、爪部が差し込めるように空間を開けて接着部を設けてシルエットの切り抜きに重なるように掛け口側イラストやマークがある。この２つの部品を組み合わせて封筒に貼り使用する封じ留め具。【選択図】図３
2018005098.tif 000002
【特許請求の範囲】
【請求項１】
半円弧状等に膨らむ形のスリットを設けて爪部が形成されており、半円弧の外側のラインに沿うスリットの天の方向側を拡大してシルエットの切り抜きを設けて、爪部に爪側イラストやマークを入れてある爪設置パーツと、爪部を差し込む為の挿入部を設けてあり、挿入部の上側に掛け口側イラストやマークがある掛け口パーツの２つの組み合わせから構成される封じ留め具であって、爪部を挿入部に差し込む前は爪側イラストやマークが見え、爪部を挿入部に差し込んだ後はシルエットの切り抜きから掛け口側イラストやマークが覗き、爪部を挿入部に差し込む前後で見え方が変化する構造を特徴とするイラストが変化して見える封じ留め具。
【請求項２】
爪設置パーツは封筒のベロの中央の先端に、掛け口パーツは封筒収納部の開閉側の天寄りの位置に貼り使用する２つの組み合わせから構成されるシール式封じ留め具であって、各々のパーツに封筒本体に固定するための接着部を設けてあり、爪設置パーツの接着部は上端の縁沿いに設けてあり、接着部の下側に爪部が配置され、その爪部の向きは接着部側へ半円弧状等に膨らんでおり、掛け口パーツの接着部は爪幅よりも広くなるように隙間を開けて設けてあり、掛け口側イラストやマークは掛け口パーツの表面に入れてあり、爪部を挿入部に差し込んでベロを固定することができる収納物落下防止機能と、請求項１記載のイラストが変化して見える封じ留め具を持つシール。
【請求項３】
爪設置パーツはベロに、掛け口パーツは封筒の収納部の開閉側の中央天寄りの位置に封筒と一体となっており、挿入部は封筒の収納部の開閉側の中央天寄りの位置に爪部の幅より横長の直線状のスリットを設けて構成されており、掛け口パーツのイラストやマークはその直線状のスリットの上側に入れてあり、爪部を挿入部に差し込んでベロを固定することができる収納物落下防止機能と、請求項１記載のイラストが変化して見える封じ留め具を持つ封筒。
【請求項４】
三つ折りカードと一体にしてあり、上側折りたたみ面を上に、下側折りたたみ面を下にして折り曲げた状態で、爪設置パーツは上側折りたたみ面の手前の部分に、掛け口パーツは下側折りたたみ面の手前部分に一体にしてあり、爪部と重なる部分に爪部の幅より横長の直線状のスリットを設けた挿入部があり、爪部を挿入部に差し込んで、カードの見開きを固定する機能を持つ請求項１記載のイラストが変化して見える封じ留め具を持つ三つ折りカード。
【請求項５】
請求項２に記載のイラストが変化して見える封じ留め具を持つシールにおいて、二つ折りカード、ノート、手帳、ファイルの各々の見開きを固定する為のシールで、爪設置パーツの接着部と爪部の間の位置に折れ線を設けてあり、谷折りになる面は接着部のある裏側の面で、その谷折りされた部分が表紙の裏面の端の中央に合わさるように接着部で固定し、掛け口パーツは爪設置パーツを折り曲げた状態で表紙の表面の爪部と合わさる位置に接着部で固定し使用する見開き防止するイラストが変化して見える封じ留め具を持つシール。
【請求項６】
爪設置パーツは封筒のベロの中央の先端に、掛け口パーツは封筒収納部の開閉側の天寄りの位置に貼り使用する２つのパーツの組み合わせから構成される留め具で、爪設置パーツは、爪部の設置部の上端の縁沿いに約１ｃｍの幅の接着部を設け、接着部の下の中央に、接着部側へ半円弧状等に膨らむ形のスリットを設けて爪部が形成されており、掛け口パーツは、爪部の幅よりも横長で、差し込み部は爪幅よりも広くなるように空間を開けて接着部を設けてあり、爪部を挿入部に差し込みベロを固定できる構造を特徴とする封じ留め具を持つシール。
【請求項７】
請求項６に記載の封じ留め具を持つシールにおいて、二つ折りカード、ノート、手帳、ファイルの各々の見開きを固定する為のシールで、爪設置パーツの接着部と爪部の間の位置に折れ線を設けてあり、谷折りになる面は接着部のある裏側の面で、その谷折りされた部分が表紙の裏面の端の中央に合わさるように接着部で固定し、掛け口パーツは爪設置パーツを折り曲げた状態で表紙の表面の爪部と合わさる位置に接着部で固定し使用する見開き防止する封じ留め具を持つシール。
【発明の詳細な説明】
【技術分野】
【０００１】
この発明は、封筒を非個着的に開閉するための特殊な封構造を有する封じ留め具に関するものである。
【背景技術】
【０００２】
封筒の開封や封じを繰り返し使用できる機能を持つシールとして知られているのは、保存用の収納封筒に用いられているマルタックのシールである。他には、何度も剥離できるシールを用いた方法が知られている。
また、開封や封じを繰り返し使用できる機能を持ち合わせた封筒は、開閉口の折り返し部分にマッジクテープ（登録商標）を用いた封筒（特許文献１参照）や、ベロ先端縁についた半円弧状等の凸部があり収納部に爪部を差し込むためのスリットが設けてある封筒（図書カード入れなどに利用されている）が知られている。あるいは、ベロ先端縁方向とは逆方向を向いた半円弧状等に膨らむ形のスリットがベロにあり、そのスリットの先端を引っ掛けるための帯を収納部に設けてある封筒（特許文献２参照）がある。
【先行技術文献】
【特許文献】
【０００３】
【特許文献１】実用新案登録第３０８２９１８号公報
【特許文献２】実用新案登録第３２０４０３２号公報
【発明の概要】
【発明が解決しようとする課題】
【０００４】
特許文献１に示される先行技術である繰り返し使用できる封筒のタイプでは、ベロとベロが合わさる収納部の部分に、封筒本体とは異なる性質を持った素材が使われていて、コストがかかった。同様、マッジクテープ（登録商標）のシール、マルタックシールもコスト高になってしまう。
何度も剥離できるシールは、コストは抑えられるもの、使用を繰り返すと接着が弱くなり、機能を失ってしまう。
特許文献２に示される先行技術である封筒では、機能が封筒本体と一体となっているため、他の封筒には機能を付属させることができない。また、差し込むための引っ掛け爪の見た目が悪く、デザインに影響を受ける。
構造が簡単であり、コンパクトで、コストがかからず、デザイン性に優れた留め具を提供することを目的とする。
【課題を解決するための手段】
【０００５】
封筒のベロの中央の先端に貼る爪設置パーツと、封筒収納部の開閉側の天寄りの位置に貼る掛け口パーツの２つの組み合わせから構成されるシール式封じ留め具である。
爪設置パーツは、略四方形を成して上端の縁沿いに約１ｃｍの幅の爪側の接着部を設け、接着部の下の中央に接着部側へ半円弧状等に膨らむ形のスリットを設けて爪部が形成されており、半円弧の外側のラインに沿うスリットの接着部側を拡大して、動物・車などのシンプルでわかりやすいシルエットの切り抜きを設けてある。そのシルエットと組み合わせ１つの模様になる爪側イラストやマークを爪部に入れてある。
掛け口パーツは爪幅よりも広くなるように空間を開けて掛け口側の接着部を設けてあり、表面に掛け口側イラストやマークを入れある。一番、機能性に優れている掛け口パーツ形状は、左右に細長く帯状の形状である。また、円、四角形、熊や猫などのキャラクターの形、マークの形など見た目重視な形状でも代用できる。帯状の形体の場合にかぎり、左右の両端に約１ｃｍの幅の接着部が設けてあり、各々の掛け口側の接着部の内側縁に沿って折り形線を設けあり、下側の中央が外側から内側へなだらかに凹むくぼみを設けてある。
爪設置パーツは封筒のベロの中央先端部分に貼り、掛け口パーツは収納部の開け口側の中央天寄りの位置に貼り使用する。掛け口パーツの掛け口側の接着部を封筒に貼った際に、封筒本体と掛け口パーツの中央の下側に隙間ができ、爪部を差し込むことができる挿入部がある。
爪部を挿入部に差し込んでベロを固定することができる収納物落下防止機能と、爪部を差し込む前後では見えるイラストが変わり、イラストの見え方が変化する構造を兼ね備えている。
また、封筒やカードと一体型として本発明の構造を取り入れた場合、爪設置パーツは直接ベロに構造を設けあり、開封側の収納部の天寄りの位置に掛け口パーツを直接設置する。爪設置パーツと掛け口パーツの各々の接着部は省略でき、ベロに爪設置パーツを直接設けあり、爪部の幅よりも横長の直線状のスリットを挿入部として設ける構造が好ましい。
【発明の効果】
【０００６】
本発明において大きく分けて６つの効果が期待できる。
１つ目は、構造が簡単であり、コンパクトで、コストがかからず、デザイン性に優れた留め具であること。
２つ目は、開封側を逆さにした状態のときに、封筒の収納内部に格納されていたものを落下防止する機能が期待できること。
ベロを折り返した状態において、ベロの方向を向いた半円弧状等に膨らむ形のスリットを設けた爪部を、本体に直接設配置した直線状のスリット、もしくは、爪幅よりも広くなるように空間を開けて接着部を設けた帯の隙間の下側から爪部を差し込むので、爪部が帯に引っかかり、しっかりとベロを固定することが可能になる。
３つ目は、爪設置パーツと掛け口パーツを封筒に貼る接着部分をそれぞれ設けたことにより、シールとして封筒に貼り、収納物落下防止の機能を持たない封筒にも、簡単に収納物落下防止の機能を持たせることが可能である。
４つ目は、ベロを固定するときに、シールや接着材を使用せずに、爪設置パーツと掛け
口パーツの２つの組み合わせによる方法でベロを固定できる為、開封と封じを繰り返し使用できる効果を持つ。
５つ目は、開封側を逆さにした状態では、格納物の重さがベロに負荷がかかるが、その負荷に耐える能力より上げることができること。なぜならば、先行技術におけるテレホンカードなどの袋に利用される構造では、収納部のスリットにベロ先端の爪部を差し込んだ構造な為、開封側を逆さにしたときに小銭などの重量を持った格納物の重みに耐えられずに、ベロが開いてしまい格納物を落下させてしまう。しかし、本発明では、爪部が差し込み部に引っかかりしっかりとベロを固定できる構造になっているため、爪部とベロにかかる負荷を少なくできる。また、特許文献２に示される先行技術である封筒に使用される帯は封筒のベロを出し入れが可能な幅が必要で広かったのに対し、本発明では、爪部を差し込める幅しか必要とせず、接着部分が近距離になる為、強度を増すことが可能。そして、爪幅よりも広くなるよう空間をあけて接着部を設ける形態なら、差し込み部は両端の接着部だけではなく、掛け口パーツの上側にも接着部を設けることも可能であり、掛け口パーツの負荷を軽減し強度を増すことができる。
６つ目は、厚紙・ユポなどのシート素材を本体として、単価の安い材料で構成されるため、コストを抑えることができる。
７つ目は、おしゃれでかわいい模様やイラストやマークが変化するように見せる効果が期待できること。
爪を差し込む前は、シルエットの切り抜き、爪部に設けたイラスト、シルエットの切り抜きと爪部の間から見える掛け口パーツのイラストが合わさって一つの形を表現している。爪を差し込み部に差し込んだ状態では、爪は見えなくなり、シルエットの切り抜きからイラストが覗くことで、見た目が変化し、イラストを変化したかのような効果がある。
一例として、シルエットの切り抜きに、猫の顔のシルエットを入れ、爪部に目を丸くした猫の顔を描く、差し込み部の爪部の重なる部分を中心として笑った表情の猫のイラストを入れる。すると、差し込む前に目を丸くさせていた猫が、爪部を差し込んだ後は、爪部のイラストは掛け口パーツの下側に入り込み、シルエットの切り抜きから掛け口パーツのイラストの笑った猫が覗き、猫が笑ったかのように見せることが可能である。
また、切り抜きのシルエットと爪部を熊に、掛け口パーツにうさぎのイラストを入れると、開封した時に、熊がウサギに変化する遊び心のあるユニークなデザイン展開を可能にする。
８つ目は、爪部のスリットの半円弧の外側のラインに沿うスリットの縁沿いを動物・車などのシンプルで分かりやすいシルエットを切り抜くことで、半円孤のシンプルな見た目が良くなり、爪設置パーツをおしゃれなデザインに見せることが可能である。
９つ目は、三つ折りカード、二つ折りのベロ付きカードにも同じ構造の留め具を取り入れると、視覚が変化し、開封と封じが自由にできるカードになる。
１０つ目は、薄くコンパクトな形状の留め具である。
１１つ目は、爪設置パーツの上端の縁沿いに約１ｃｍの幅の接着部を設けた部分と、接着部の下の中央にある接着部側へ半円弧状等に膨らむ形のスリットを設けた爪部の２つ間に、接着部側が谷になるように折り曲げる。ノートやファイルの端に、折り曲げた谷が合うように貼りつけ、掛け口パーツは接着部の間の空間をあけた部分が爪部と重なるように貼りつけると、ノートや複数ページがあるファイルの留め具としても使用できる。
１２つ目は、ルーズリィーフファイルや２つ穴ファイルに使用するポケットファイルの上側が開閉部になっているタイプの収納クリアファイルに本発明品を貼り使用すると、ファイルを逆さにしてしまった場合における収納物落下防止の留め具としても使用できる。また、その留め具をルーズリィーフファイルや２つ穴ファイルに使用するポケットファイルの各々と一体型にすることも可能である。
【図面の簡単な説明】
【０００７】
【図１】本発明の正面図
【図２】本発明の背面図
【図３】本発明において２つのパーツを組み合わせた状態を示す正面図
【図４】本発明において２つのパーツを組み合わせた状態を示す背面図
【図５】本発明において２つのパーツを組み合わせた状態を示す断面図
【図６】本発明において２つのパーツを組み合わせた状態を示す斜視説明図
【図７】本発明の使用において封筒に貼りつけ、開封した状態を示す正面図
【図８】本発明の使用において封筒に貼りつけ、開封した状態を示す背面図
【図９】本発明の使用において封筒に貼りつけ、ベロを閉じた状態を示す正面図
【図１０】本発明の使用において封筒に貼りつけ封じした状態を示す正面図
【図１１】本発明において封筒一体型の構造で、開封した状態を示す正面図
【図１２】本発明の使用において封筒一体型になった構造で、開封した状態を示す背面図
【図１３】本発明の使用において封筒一体型になった構造で、ベロを閉じた状態を示す正面図
【図１４】本発明の使用において封筒一体型になった構造で、ベロを閉じた状態を示す正面図
【図１５】本発明の使用においてカード一体型になった構造で、ベロを開いた状態を示す正面図
【図１６】本発明の使用においてカード一体型になった構造で、ベロを閉じた状態を示す正面図
【図１７】本発明の使用においてカード一体型になった構造をで、封じした状態を示す正面図
【図１８】本発明において爪設置パーツに折れ線を設けた構造で、斜視説明図
【図１９】本発明の使用において爪設置パーツに折れ線を設けた構造で、表紙を開いた状態を示す正面図
【図２０】本発明の使用において爪設置パーツに折れ線を設けた構造で、表紙を開いた状態を示す背面図
【図２１】本発明の使用において爪設置パーツに折れ線を設けた構造で、表紙を閉じてベロを開いた状態を示す正面図
【図２２】本発明の使用において爪設置パーツに折れ線を設けた構造で、表紙を閉じてベロを閉じた状態を示す正面図
【図２３】本発明の使用において爪設置パーツに折れ線を設けた構造で、表紙を閉じてベロを封じした状態を示す正面図
【発明を実施するための形態】
【０００８】
以下、本発明の実施の形態を図１〜１０に基づいて説明する。
【０００９】
図において、爪設置パーツ１と、掛け口パーツ２の２つのパーツを組み合わせて構成される。
爪設置パーツ１は、爪部の設置部の上端の縁沿いに、約１ｃｍの幅の接着部７を設け、接着部の下の中央に、接着部側へ半円弧状等に膨らむ形のスリットを設けて爪部４が形成されており、半円弧の外側のラインに沿うスリットに沿って、動物・車などのシンプルでわかりやすいシルエットの切り抜き５を設け、そのシルエット５と組み合わせた爪側イラストやマーク６を爪部４に入れる。
掛け口パーツ２は、爪部４の幅よりも横長で、差し込み部は爪幅よりも広くなるように空間を開けて接着部８を設けてある。シルエットの切り抜き５に重なる部分を中心に掛け口側イラストやマーク１１がある。または、一体型の場合、爪部４の幅よりも横長で、差し込み部は爪幅よりも広い直線状のスリット１２で代用できる。
掛け口パーツ２の形状は、左右に細長く帯状の形状以外にも、円、四角形、熊や猫などのキャラクターの形、マークの形などでも代用できる。帯状の形体の場合にかぎり、両側の接着部８の内側縁に沿って折れ線９を設け、下側の中央が外側から内側へなだらかに凹むくぼみ１０を設ける。爪部の形状は、半円孤状の形状として略四方形や略三角形の形でも代用できる。半円孤状が理想の形状で丸み帯びていて差し込みやすい。
本発明の図１〜６は以上のような構造である。
【００１０】
以下、図１〜６の使用状態を表す図７〜１０について説明する。
爪設置パーツ１と掛け口パーツ２は各々封筒本体に貼り使用する。爪設置パーツ１は接着部７を封筒１６のベロ１７の中央先端部分に貼り、掛け口パーツ２は封筒１６の収納部の収納できる開け口側の天寄りの位置に貼る。シールとして貼ることのできる留め具のため、本構造を持たない封筒にも機能をもたせることが可能である。
掛け口パーツ２は、接着部８により本体に固定され、各々の接着部８の内側縁に沿って軽く折れ曲がった折れ線９を設けることで、掛け口パーツ２と本体の隙間の挿入部１３に爪部４を格納できるスペースができる。この挿入部１３の下側から爪部４を差し込み、ベロを固定して使用する。ベロを固定することで、ベロに負荷がかかっても爪部４は掛け口パーツ２に引っ掛かり、封筒１６の収納内部に格納されていたものを落下防止することができる。また、接着材を使用せずに、爪設置パーツ１と掛け口パーツ２の組み合わせによる方法でベロを固定できる為、開封と封じを繰り返し使用できる。くぼみ１０を設けると、中央が凹んだなだらかな曲線があり、爪部４の左右が固定され、ズレにくく固定しやすい形状になっている。
また、ベロを折り返した状態で差し込む前（図９）は、シルエットの切り抜き５、爪部４に設けた爪側イラストやマーク６、シルエットの切り抜き５と爪部４の間から見える掛け口側イラストやマーク１１が合わさって一つの形を表現している。一方、爪部４を挿入部１３に差し込んだ状態（図１０）では、爪部４の爪部イラストやマーク６は見えなくなり、シルエットの切り抜き５から掛け口側イラストやマーク１１が覗くことで、見た目が変化し、イラストを変化したかのような効果がある。構造が簡単であり、コンパクトで、コストがかからず、デザイン性に優れている構造になっている。
【００１１】
以下、本発明を封筒に一体型として用いた場合の実施例の形態の図１１〜１４を説明する。
【００１２】
本体と一体型にし、封筒に本発明の構造と取り入れた場合、爪設置パーツ１をベロに、掛け口パーツ２を収納部の開け口側の中央天寄りの位置に設ける。爪設置パーツ１は、直接、ベロ１７に一体型として設置する。
爪設置パーツ１の形態は、封筒１６のベロ１７を折り曲げた状態で、ベロ折れ線１９の方向に半円弧状等に膨らむ形のスリットをベロに設けて爪部４が形成されており、円弧の外側のラインに沿うスリットのベロ折れ線側１９を拡大して、動物・車などのシンプルでわかりやすいシルエットの切り抜き５を設け、そのシルエット５と組み合わせた爪側イラストやマーク６を爪部４に入れる。
また、掛け口パーツ２も収納部の開け口側の中央天寄りの位置に直接設置し、その位置に爪の幅より横長の直線状のスリット１２を設けて挿入部１３があり、スリットの上側に掛け口側イラストやマーク１１を入れる。
ベロ１７を折り曲げた状態（図１３）では、爪部４の爪側イラストやマーク６とスリットの切り抜き５で一つの形を構成している。ベロを固定するために、爪部４を挿入部１３に差し込むと（図１４）、爪部４の爪部イラストやマーク６は見えなくなり、シルエットの切り抜き５から挿入部１３の上側に描かれている掛け口側イラストやマーク１１が覗くことで、イラストが変化したかのように見せかける効果がある。
また、爪部４は挿入部１３の直線状のスリット１２に引っかかり、しっかりとベロ１７を固定することが可能になり、封筒の開閉部を逆さにしたときに、収納物の落下防止機能を持ち、開閉も繰り返し行える。収納物の落下防止機能、開閉の繰り返し、イラストが変化したかのように見せかける効果の３つを兼ね備えることができる。
【００１３】
以下、本発明を三つ折りカードに一体型として用いた場合の実施例の形態の図１５〜１７を説明する。
【００１４】
三つ折りのカードに本発明の構造と取り入れた場合、爪設置パーツ１を上側折りたたみ面（ベロ）２３に、掛け口パーツ２を下側折りたたみ面２４に直接設けるか、付属型になる。
上側折りたたみ面（ベロ）２３に、上側折れ線２１の方向に半円弧状等に膨らむ形のスリットを設けて爪部４が形成されており、円弧の外側のラインに沿うスリットの上側折れ線２１を拡大して、動物・車などのシンプルでわかりやすいシルエット状の切り抜き５を設け、そのシルエット５と組み合わせた爪側イラストやマーク６を爪部４に入れる。下側折りたたみ面２４に、爪部４の幅より横長の直線状のスリット１２を設けて挿入部１３があり、挿入部１３の直線状のスリット１２の上側に掛け口側イラストやマーク１１を入れる。
上側折りたたみ面２３を上に三つ折りした状態（図１６）では、爪部４の爪側イラストやマーク６とスリットの切り抜き５で一つの形を構成している。爪部４を直線状のスリット１２の挿入部１３に差し込む（図１７）と、爪部４の爪部イラストやマークは見えなくなり、シルエットの切り抜き５から直線状のスリット１２の上側に描かれている掛け口側イラストやマーク１１が覗くことで、イラストが変化したかのように見せかける効果がある。また、カードの折り曲げた上側折りたたみ面２３と下側折りたたみ面２４の手前部分を、固定することができ、自由に開閉できる。
同じく二つ折りで小さなベロ付きのカードにも本発明の構造を設けて、同じ機能を持たせることも可能である。自由にカードの開閉を繰り返して利用でき、イラストが変化したかのように見せかける効果の２つの機能を兼ねそなえることができる。
【００１５】
以下、本発明を見開き防止留め具のシールとして用いた場合の実施例の形態の図１８〜２３を説明する
【００１６】
図１〜６の上記構成のシールに、爪差し込みパーツに折れ線２５を加えた構造になっており、折れ線２５は、約１ｃｍの幅の接着部７と、接着部７の下の中央にある接着部側へ半円弧状等に膨らむ形のスリットを設けた爪部４の２つ間の位置に設けてある。谷折りになる面は接着部７のある裏側の面で、その谷折りされた部分が表紙の裏面の端の中央に合わさるように接着部７で固定して使用する。
掛け口パーツは図１〜６に示される構造と同じで、爪設置パーツ１を折り曲げた状態で表紙の表面の爪部４と合わさる位置に接着部８で固定し使用する。
爪部を挿入部に差し込む前は爪側イラストやマーク６が見え、爪部を挿入部に差し込んだ後はシルエット状の切り抜き５から掛け口側イラストやマーク１１が覗き、爪部を挿入部に差し込む前後で見え方が変化する構造を持っている。
折れ曲がった形状の爪設置パーツ１が、表紙の裏の端から表の端の一部を覆って、掛け口パーツ２に固定でき、見開き防止することができる。見開きを防止することができるものとして、二つ折りカード、ノート、手帳、ファイル等２６が可能である。また、イラストが変化したかのように見える構造を兼ね備えたシールになっている。
また、二つ折りカード、ノート、手帳、ファイル等２６に、爪設置パーツ１と掛け口パーツ２を一体型にすることも可能である。
【００１７】
以下、本発明の図１〜２３における共通部分の構造を説明する。
【００１８】
爪設置パーツ１と掛け口パーツ２の２つの組み合わせから構成される封じ留め具である。爪設置パーツは、天３の方向を向いて半円弧状等に膨らむ形のスリットを設けて爪部４が形成されており、半円弧の外側のラインに沿うスリットの天３の方向側を拡大してシルエットの切り抜き５を設けて、爪部４に爪側イラストやマーク６を入れてある。
掛け口パーツは、爪部を差し込む為の挿入部１３を設けてあり、挿入部１３の上側に掛け口側イラストやマーク１１がある。
爪部を挿入部に差し込む前は爪側イラストやマーク６が見え、爪部を挿入部に差し込んだ後はシルエットの切り抜き５から掛け口側イラストやマーク１１が覗き、爪部を挿入部に差し込む前後で見え方が変化する構造と、爪部４が下側から挿入部１３に差し込むことができ、ベロが固定できる仕組みを持っている。
【００１９】
本発明の実施の形態の図１〜１０における封じ留め具のシールは、爪設置パーツの爪側イラストやマーク６、または、シルエットの切り抜き５、掛け口パーツの掛け口側イラストやマーク１１を省略することも可能で、各々を省略しても、封筒に使用した際にも爪部４を挿入部１３に差し込み、ベロ１７を固定して収納物落下防止機能を持たせることができる。
【００２０】
本発明の実施の形態の図１８〜２２における封じ留め具のシールは、爪設置パーツの爪側イラストやマーク６、または、シルエットの切り抜き５、掛け口パーツの掛け口側イラストやマーク１１を省略でき、爪部４を挿入部１３に差し込み、二つ折りカード、ノート、手帳、ファイル２６の各々の見開きを固定することが可能である。
【００２１】
本発明の実施の形態の図１８〜２３における封じ留め具のシールは、二つ折りカード、ノート、手帳、ファイル２６の各々と一体型しても、爪部４を挿入部１３に差し込む前後でイラストが変化して見える機能や、見開きを固定する機能を持たせることが可能である。
【符号の説明】
【００２２】
１  爪設置パーツ
２  掛け口パーツ
３  天
４  爪部
５  シルエット（の切り抜き）
６  爪側イラストやマーク
７  （爪設置パーツの）接着部
８  （掛け口パーツの）接着部
９  折れ線
１０  くぼみ
１１  掛け口側イラストやマーク
１２  （直線状の）スリット
１３  挿入部
１４  封筒ベロ断面図
１５  封筒収納断面図
１６  封筒
１７  ベロ
１８  収納部
１９  ベロ折れ線
２０  三つ折りカード
２１  上側折れ線
２２  下側折れ線
２３  上側折りたたみ面（ベロ）
２４  下側折りたたみ面
２５  折れ線
２６  二つ折りカード、ノート、手帳、ファイル等
【図１】
2018005098.tif 000003
【図２】
2018005098.tif 000004
【図３】
2018005098.tif 000005
【図４】
2018005098.tif 000006
【図５】
2018005098.tif 000007
【図６】
2018005098.tif 000008
【図７】
2018005098.tif 000009
【図８】
2018005098.tif 000010
【図９】
2018005098.tif 000011
【図１０】
2018005098.tif 000012
【図１１】
2018005098.tif 000013
【図１２】
2018005098.tif 000014
【図１３】
2018005098.tif 000015
【図１４】
2018005098.tif 000016
【図１５】
2018005098.tif 000017
【図１６】
2018005098.tif 000018
【図１７】
2018005098.tif 000019
【図１８】
2018005098.tif 000020
【図１９】
2018005098.tif 000021
【図２０】
2018005098.tif 000022
【図２１】
2018005098.tif 000023
【図２２】
2018005098.tif 000024
【図２３】
2018005098.tif 000025